(57)【特許請求の範囲】
【請求項１】
コアネットワークのノードにおいて実行され、閉じたサブスクライバグループ（ＣＳＧ）へのアクセスを制限する方法であって、
セルがパブリックＣＳＧセルであることを示す指標をブロードキャストする前記セルを介して、前記ＣＳＧへのアクセスの要求、前記ＣＳＧを識別するＣＳＧ識別子（ＩＤ）、および無線送信／受信ユニット（ＷＴＲＵ）の識別を含むメッセージを受信すること、
前記ＣＳＧ  ＩＤおよび前記ＷＴＲＵの前記識別に関連付けられたサブスクリプションポリシーに基づいて前記ＣＳＧへのアクセスを前記ＷＴＲＵに許可するか否か決定すること、および
前記決定に基づいて前記ＣＳＧへのアクセスを制限すること
を備えることを特徴とする方法。
【請求項２】
前記コアネットワークの前記ノードは、モビリティマネージメントエンティティ（ＭＭＥ）であることを特徴とする請求項１に記載の方法。
【請求項３】
前記ＷＴＲＵは、前記ＣＳＧへの認可を示す前記サブスクリプションポリシーに基づいて前記ＣＳＧへのアクセスが許可されることを特徴とする請求項１に記載の方法。
【請求項４】
前記ＷＴＲＵは、前記ＣＳＧへのアクセスが限定されたサービスのセットで認められることを示す前記サブスクリプションポリシーに基づいて前記ＣＳＧへのアクセスが許可されることを特徴とする請求項１に記載の方法。
【請求項５】
前記限定されたサービスのセットは、緊急サービスであることを特徴とする請求項４に記載の方法。
【請求項６】
前記識別は、国際モバイル加入者識別番号（ＩＭＳＩ）または一時モバイル加入者識別番号（ＴＭＳＩ）であることを特徴とする請求項１に記載の方法。
【請求項７】
前記サブスクリプションポリシーは、前記コアネットワークの他のノードに格納されていることを特徴とする請求項１に記載の方法。
【請求項８】
前記他のノードは、ホーム加入者サーバ（ＨＳＳ）であることを特徴とする請求項７に記載の方法。
【請求項９】
前記要求は、トラッキングエリア更新（ＴＡＵ）であることを特徴とする請求項１に記載の方法。
【請求項１０】
前記メッセージは、非アクセス階層（ＮＡＳ）メッセージであることを特徴とする請求項１に記載の方法。
【請求項１１】
前記メッセージは、家庭内の発展型Ｎｏｄｅ−Ｂ（ＨｅＮＢ）から受信されることを特徴とする請求項１に記載の方法。
【請求項１２】
前記ＣＳＧ  ＩＤは、オペレータネットワーク内で一意であることを特徴とする請求項１に記載の方法。
【請求項１３】
コアネットワークのノードであって、
セルがパブリックＣＳＧセルであることを示す指標をブロードキャストする前記セルを介して、閉じたサブスクライバグループ（ＣＳＧ）へのアクセスの要求、前記ＣＳＧを識別するＣＳＧ識別子（ＩＤ）、および無線送信／受信ユニット（ＷＴＲＵ）の識別を含むメッセージを受信し、
前記ＣＳＧ  ＩＤおよび前記ＷＴＲＵの前記識別に関連付けられたサブスクリプションポリシーに基づいて前記ＣＳＧへのアクセスを前記ＷＴＲＵに許可するか否か決定し、および
前記決定に基づいて前記ＣＳＧへのアクセスを制限するように構成されていることを特徴とするノード。
【請求項１４】
前記コアネットワークの前記ノードは、モビリティマネージメントエンティティ（ＭＭＥ）であることを特徴とする請求項１３に記載のノード。
【請求項１５】
前記ノードは、前記ＣＳＧへの認可を示す前記サブスクリプションポリシーに基づいて、前記ＷＴＲＵに前記ＣＳＧへのアクセスを許可するように構成されていることを特徴とする請求項１３に記載のノード。
【請求項１６】
前記ノードは、前記ＣＳＧへのアクセスが限定されたサービスのセットで認められることを示す前記サブスクリプションポリシーに基づいて、前記ＷＴＲＵに前記ＣＳＧへのアクセスを許可するように構成されていることを特徴とする請求項１３に記載のノード。
【請求項１７】
前記限定されたサービスのセットは、緊急サービスであることを特徴とする請求項１６に記載のノード。
【請求項１８】
前記識別は、国際モバイル加入者識別番号（ＩＭＳＩ）または一時モバイル加入者識別番号（ＴＭＳＩ）であることを特徴とする請求項１３に記載のノード。
【請求項１９】
前記サブスクリプションポリシーは、前記コアネットワークの他のノードに格納されていることを特徴とする請求項１３に記載のノード。
【請求項２０】
前記他のノードは、ホーム加入者サーバ（ＨＳＳ）であることを特徴とする請求項１９に記載のノード。
【請求項２１】
前記要求は、トラッキングエリア更新（ＴＡＵ）であることを特徴とする請求項１３に記載のノード。
【請求項２２】
前記メッセージは、非アクセス階層（ＮＡＳ）メッセージであることを特徴とする請求項１３に記載のノード。
【請求項２３】
前記メッセージは、家庭内の発展型Ｎｏｄｅ−Ｂ（ＨｅＮＢ）から受信されることを特徴とする請求項１３に記載のノード。
【請求項２４】
前記ＣＳＧ  ＩＤは、オペレータネットワーク内で一意であることを特徴とする請求項１３に記載のノード。
【発明の詳細な説明】
【技術分野】
【０００１】
本願は、無線通信に関する。
【背景技術】
【０００２】
第三世代パートナーシッププロジェクト（３ＧＰＰ）ロングタームエボリューション（ＬＴＥ）プログラムのゴールは、さらに高速なユーザ体験、さらに豊富なアプリケーション、さらに低コストのサービスのために、改善されたスペクトル効率、低減された待ち時間、無線リソースのよりよい使用効率を提供する目的で、ＬＴＥの設定および構成についての新しい技術、新しいアーキテクチャ、および新しい方法を開発することである。これらの取り組みの一環として、３ＧＰＰは、ＬＴＥネットワークについての家庭内の発展型Ｎｏｄｅ−Ｂ（ＨｅＮＢ）の概念を導入した。３ＧＰＰでまた、リリース８（Ｒ８）広帯域符号分割多元接続（ＷＣＤＭＡ（登録商標））について家庭内のＮｏｄｅ−Ｂ（ＨＮＢ）を検討している。
【０００３】
ＨｅＮＢは、無線ローカルエリア（ＷＬＡＮ）アクセスポイント（ＡＰ）と類似しているといえる物理デバイスを参照する。ＨｅＮＢは、家庭または小規模オフィスなど、極めて小さいサービスエリアにわたりＬＴＥサービスへのアクセスをユーザに提供する。ＨｅＮＢは、たとえば、全国の家庭で今日自由に利用可能な公衆インターネット接続（たとえば、デジタル加入者線（ＤＳＬ））を使用することにより、オペレータのコアネットワークに接続することが意図されている。これは特に、ＬＴＥが配備されていないエリア、および／またはレガシー３ＧＰＰ無線アクセス技術（ＲＡＴ）のカバレッジが既に存在するエリアにおいて有用となりうる。これはまた、たとえば、地下鉄またはショッピングモールにおける無線伝送の問題の発生により、ＬＴＥのカバレッジが薄いかまたは存在しないことがあるエリアにおいて有用になることもある。
【０００４】
ＨｅＮＢの閉じたサブスクライバグループ（ＣＳＧ：Ｃｌｏｓｅｄ  Ｓｕｂｓｃｒｉｂｅｒ  Ｇｒｏｕｐ）セルは、ＨｅＮＢによって提供される無線カバレッジが、セルのサービスを使用することを認可された加入者のグループによってのみアクセスすることができる定義エリアである。ＣＳＧは、ＨｅＮＢ  ＣＳＧセルにアクセスを試みる特定の場所の周辺にいる家族または誰かであってもよい（たとえば、コーヒーショップにいる誰か）。ＨｅＮＢは、典型的には、ＬＴＥカバレッジが望まれるエリアにわたり１つまたは複数のＣＳＧセルを配備するために使用することができる。ＣＳＧセルは、ＬＴＥサービスのためにＨｅＮＢによって配備するか、またはＷＣＤＭＡもしくはその他のレガシー３ＧＰＰ  ＲＡＴサービスのためにＨＮＢによって配備することができる。加入者は、個人であるか組織であるかには関わりなく、そのようなサービスが望まれるエリアにわたりＨｅＮＢを使用してＣＳＧセルを配備することができる。
【０００５】
図１は、無線通信システム１００における従来のＨｅＮＢ配備の例を示している。無線通信システム１００は、ＬＴＥマクロセル１０５、３ＧＰＰシステムセル１１０、上位ネットワークノード（たとえば、ゲートウェイ）１１５、および／またはモビリティマネージメントエンティティ（ＭＭＥ）／サービス提供汎用パケット無線システム（ＧＰＲＳ：Ｇｅｎｅｒａｌ  Ｐａｃｋｅｔ  Ｒａｄｉｏ  Ｓｅｒｖｉｃｅ）サポートノード（ＳＧＳＮ）１２０を含む。上位ネットワークノード１１５は、いくつかのＨｅＮＢ  １２５Ａ、１２５Ｂ、および１２５Ｃのオペレーションを協調させることを担う。代替として、ＭＭＥ／ＳＧＳＮ  １２０は、いくつかのＨｅＮＢ  １２５Ａ、１２５Ｂ、および１２５Ｃのオペレーションを協調させることを担ってもよい。ＭＭＥは、３Ｇ／２Ｇ  ＳＧＳＮのＬＥＴ等価物である。ＬＴＥマクロセル１０５および３ＧＰＰシステム１１０（たとえば、ＷＣＤＭＡ／ＧＳＭ（登録商標）（Ｇｌｏｂａｌ  Ｓｙｓｔｅｍ  ｆｏｒ  Ｍｏｂｉｌｅ  Ｃｏｍｍｕｎｉｃａｔｉｏｎ））の関係は、これらの２つの技術のカバレッジが重なり合うエリアがあってもよいということである。これは、ＧＳＭとＷＣＤＭＡ技術の同時に生じるカバレッジと類似している。ＬＴＥマクロセル１０５および３ＧＰＰシステムセル１１０の上位ネットワークノード１１５との関係は、あいまいである。ほとんど確実に、上位ネットワークノード１１５は、ＭＭＥ／ＳＧＳＮ  １２０とインターフェイスをとるゲートウェイ機能である可能性が高い。ゲートウェイとして、上位ネットワークノード１１５の役割は、いくつかの小さいホームセルをサポートしながら、ＭＭＥ／ＳＧＳＮ１２０に向けて単一マクロセルとして機能することであるかもしれない。
【０００６】
ＣＳＧセルは、周辺のマクロセルのそれとは異なるトラッキングエリア（ＴＡ）に属すことができる。そのようなＴＡは、参照により完全に示されたように組み込まれる２００８年３月７日出願の同時係属の米国特許出願第１２／０４４，４９１号に開示されているように、ＣＳＧ  ＴＡとしてみなすことができる。周囲のマクロセルは通常、比較的大きく（たとえば、少なくとも数平方ブロックをカバーする）、ｅ−Ｎｏｄｅ−Ｂ（すなわち、基地局）を使用することによりオペレータによって配備される。ＨｅＮＢは、家庭において配備される小規模な基地局であり、ＨｅＮＢによって提供されるセルは、家庭の小さなエリアをカバーするだけである。
【０００７】
セルブロードキャストは、セルのすべての無線送信／受信ユニット（ＷＴＲＵ）によって読み取ることができる、特定の共通物理チャネル（すなわち、ブロードキャストチャネル）上でセルが送出する大きなメッセージである。セルブロードキャストは、ＷＴＲＵがどのセル、ネットワークなどにアクセスしているか、およびどのフィーチャがサポートされるかなど、ＷＴＲＵの各々が知る必要のある情報を搬送する。ＣＳＧセルは、ＴＡブロードキャストが、セルブロードキャストの特殊なタグまたは情報要素（ＩＥ）によって識別されるようなＣＳＧ  ＴＡであるか、または何の特殊なマーカーも存在しないことによって識別されるような通常のＴＡであるかどうかを、そのセルブロードキャストで示すことができる。ＷＴＲＵは、次いで、メモリデバイス（たとえば、ユニバーサル集積回路カード（ＵＩＣＣ：Ｕｎｉｖｅｒｓａｌ  Ｉｎｔｅｇｒａｔｅｄ  Ｃｉｒｃｕｉｔ  Ｃａｒｄ）に常駐するユニバーサル加入者識別モジュール（ＵＳＩＭ：Ｕｎｉｖｅｒｓａｌ  Ｓｕｂｓｃｒｉｂｅｒ  Ｉｄｅｎｔｉｔｙ  Ｍｏｄｕｌｅ））内、ＷＴＲＵ内、またはそのＬＴＥ等価物（ＵＩＣＣ上の任意の他のアプリケーションであってもよい）のいずれかで、そのサブスクリプションをチェックして、ＷＴＲＵがこのＣＳＧセルにアクセスを有するかどうかを確認することができる。
【発明の概要】
【発明が解決しようとする課題】
【０００８】
図２は、ＣＳＧセルごとに一意のＴＡを使用するＣＳＧ識別が実施され、それにより各ＣＳＧ識別子（ＩＤ）（たとえば、１５００、１５０１、１５０２、１５０３）がＣＳＧセルのＣＳＧ  ＴＡと同じである従来の無線通信システムを示している。しかし、一意のトラッキングエリアコード（ＴＡＣ）を各ＣＳＧセルに割り当てると、非常に大きな数のＴＡと大きな数の一意のＴＡＣの対応する要件があることになり、実現可能ではないことがあるという問題をもたらす。代替として、いくつかのＣＳＧセルが単一のＴＡに割り当てられる場合、ＷＴＲＵは、それら自身のＴＡだけではなく特定のＴＡに割り当てられる各ＣＳＧセルにアクセスすることができるので、アクセス制御が問題になることがある。
【０００９】
対処される必要のあるもう１つの問題は、ＣＳＧセルにアクセスすることを許されるＷＴＲＵのリストからどのようにＷＴＲＵが追加または削除されるべきかを判定することである。対処される必要のあるさらにもう１つの問題は、ＣＳＧセルが、限定されたユーザのセット、たとえば親しい家族からのトラフィックを受け入れることができるか、またはＣＳＧセルが、通りを通過している歩行者ユーザからのトラフィックを受け入れることができるかどうかを判定することである。
【課題を解決するための手段】
【００１０】
ＣＳＧ  ＴＡ  ＩＤ、ＣＳＧセルＩＤ、ＨｅＮＢ  ＩＤ、またはこれらのＩＤの任意の組み合わせとすることができるＣＳＧ識別子によって識別されるＣＳＧセルが開示される。ＣＳＧセルは、セルブロードキャスト上でのビットを設定することにより、それ自体をマクロセルから区別することができる。ＣＳＧ識別子は、ＷＴＲＵの使用のために構成される。ＣＳＧセルを配備するＨｅＮＢは、ＷＴＲＵのアクセスをそのサービスの全部または一部に制限するように構成される。
【００１１】
ＣＳＧセルは、パブリックまたはプライベートとすることができる。ＣＳＧセルは、ＷＴＲＵのアクセスをそのサービスの全部または一部に制限することができる。制限は、識別子、ＣＳＧセルの容量、および／または無線強度に基づくことができる。制限は、ユーザおよび／またはオペレータが変更することができる。
【００１２】
ＣＳＧセルを識別するための、ＵＳＩＭを含む方法およびＷＴＲＵもまた開示される。ＵＳＩＭは、ＵＩＣＣに常駐することができる。ＷＴＲＵは、ＩＤを含むセルからのブロードキャストを受信する。ＩＤがＣＳＧセルに関連付けられている場合、ＷＴＲＵは、ＣＳＧ  ＩＤがＵＳＩＭにプログラムされているかどうかを判定する。セルブロードキャストは、セルがＣＳＧセルであることを示す単一ビットのＩＥを含むことができる。ＩＤがＣＳＧ  ＩＤである場合、ＩＤは、国、地域、オペレータ、およびＨｅＮＢ番号のうちの少なくとも１つを示す複数のフィールドをさらに含むことができる。ＣＳＧセルは、ネットワークによって、または（国際モバイル加入者ＩＤ（ＩＭＳＩ：ｉｎｔｅｒｎａｔｉｏｎａｌ  ｍｏｂｉｌｅ  ｓｕｂｓｃｒｉｂｅｒ  ＩＤ）と類似した）永久的な一意のＩＤによって変更することができる（一時モバイル加入者ＩＤ（ＴＭＳＩ：ｔｅｍｐｏｒａｒｙ  ｍｏｂｉｌｅ  ｓｕｂｓｃｒｉｂｅｒ）と類似した）単一のＩＤによって識別することができる。セルブロードキャストは、ＣＳＧセルがパブリックまたはプライベートＣＳＧセルのいずれであるかを示すビットをさらに含むことができる。セルブロードキャストは、すべてのユーザから緊急コールが許可されることを示すビットをさらに含むことができる。
【００１３】
さらに詳細な理解は、添付の図面と併せて例として与えられる、以下の説明から得ることができる。
【図面の簡単な説明】
【００１４】
【図１】無線通信システムにおける従来のＨｅＮＢの配備の例を示す図である。
【図２】ＣＳＧごとに一意のＴＡを使用するＣＳＧ識別が実施され、それにより各ＣＳＧ  ＩＤがＣＳＧセルのＣＳＧ  ＴＡと同じである従来の無線通信システムを示す図である。
【図３】一意のセルＩＤがＣＳＧセルごとに割り当てられる無線通信システムを示す図である。
【図４】２つのレベルのアプローチがＣＳＧセル識別に使用される無線通信システムを示す図である。
【図５】ＨｅＮＢが２つ以上のマクロセルトラッキングエリアの境界をまたぐＨｅＮＢの配備を示す図である。
【図６】セルブロードキャストを受信し、ＣＳＧセルを識別するように構成されるＷＴＲＵを示すブロック図の例である。
【発明を実施するための形態】
【００１５】
これ以降で参照される場合、用語「無線送信／受信ユニット（ＷＴＲＵ）」は、ユーザ機器（ＵＥ）、移動局、固定または移動加入者ユニット、ページャー、セルラー電話、携帯情報端末（ＰＤＡ）、コンピュータ、または無線環境において動作することのできる任意の他のタイプのユーザ装置を含むが、これらに限定されない。これ以降で参照される場合、用語「ＨｅＮＢ（ｉｎ−ｈｏｍｅ  ｅｖｏｌｖｅｄ  Ｎｏｄｅ−Ｂ）」は、基地局、Ｎｏｄｅ−Ｂ、サイトコントローラ、アクセスポイント（ＡＰ）、または無線環境において動作することのできる任意の他のタイプのインターフェイシングデバイスを含むが、これらに限定されない。
【００１６】
ＣＳＧの識別は、セルレベルで行われるべきである。したがって、ＷＴＲＵは、外部的に（たとえば、ＷＴＲＵによってアクセス可能なＨｅＮＢに）格納されるか、またはＷＴＲＵ内に（たとえば、ＵＩＣＣに常駐するＵＳＩＭまたはＷＴＲＵのＬＴＥ等価物にプログラムされるか、またはＵＩＣＣ上の任意の他のアプリケーションを使用してプログラムされる）格納されたＣＳＧ  ＩＤに基づいて、そのＷＴＲＵがアクセスできる特定のＣＳＧを識別することができるべきである。図２に関して前述されたように、ＣＳＧ  ＩＤは、ＣＳＧセルが属するＴＡとすることができる。このＴＡは、マクロセルが属するＴＡとは異なることもあり、その場合、これはＣＳＧ  ＴＡと呼ばれる。
【００１７】
ＣＳＧ  ＩＤは、ＷＴＲＵがグローバルにアクセスすることができるＣＳＧを識別する任意のＩＤであってもよい。図３に示されたように、ＣＳＧ  ＩＤは、ＣＳＧセルのグローバルに一意のセルＩＤであってもよい。代替として、ＣＳＧ  ＩＤは、ＣＳＧセルをブロードキャストしているＨｅＮＢのＨｅＮＢ  ＩＤであっても、またはＴＡ  ＩＤ、セルＩＤ、およびＨｅＮＢ  ＩＤの組み合わせであってもよい。ＣＳＧ  ＩＤは、マクロセルの等価のセルＩＤと比較して一意のフォーマット／長さを有することができる。したがって、ＷＴＲＵは、このセルがＣＳＧセルであることを判定することができる。ＷＴＲＵがセルを検出するごとに、ＷＴＲＵは、ＩＤブロードキャストがＣＳＧ  ＩＤであるかどうか判定し、ＣＳＧ  ＩＤである場合、ＷＴＲＵは、このＣＳＧ  ＩＤがＵＳＩＭまたはＷＴＲＵのＬＴＥ等価物にプログラムされているかどうかを判定する。このＣＳＧ  ＩＤがＷＴＲＵでプログラムされている場合、ＷＴＲＵは、このＣＳＧセルをアクセスに適していると見なすことができる。この手順は、ＣＳＧ  ＩＤが、ＣＳＧセルの属しているＴＡ  ＩＤである場合であっても行うことができる。
【００１８】
代替として、別のＩＥをブロードキャストに追加して、セルがＣＳＧセルであることを示すことができるが、これはわずか１ビットとすることができる。ＣＳＧセルは、したがって、このビットを設定することにより、それ自体をマクロセルから区別するであろう。マクロセルはまた、このビットをブロードキャストするが、設定しないであろう。ＷＴＲＵは、セルブロードキャストの１ビットの指示を読み取り、その値を判定することにより、セルがＣＳＧセルであることを判定することができる。ビットが設定されており、そのためにセルがＣＳＧセルである場合、このＣＳＧセルにアクセスできるかどうかを決定するため、ＷＴＲＵは、そのＵＳＩＭまたはＬＴＥ等価物（ＵＩＣＣ上の任意の他のアプリケーション）をチェックして、プログラムされたＣＳＧ  ＩＤがＣＳＧセルによってブロードキャストされたＣＳＧ  ＩＤと一致するかどうかを確かめる。ＵＳＩＭまたはＬＴＥ等価物にプログラムされた特定のＣＳＧ  ＩＤを持つＷＴＲＵのみが、その特定のＣＳＧセルにアクセスすることができる。ＣＳＧ  ＩＤは、ＷＣＤＭＡ  ＣＳＧセルのそれと同一とすることができる。
【００１９】
セルＩＤをＣＳＧ  ＩＤアドレスとして使用することにより、正しいＣＳＧセルへのアクセス制御の問題に対処しても、一意のセルレベルのＣＳＧ  ＩＤの大きなセットの必要はなくならない。さらに、ＬＴＥ＿ｉｄｌｅモードにおいて、ＷＴＲＵは、ＴＡレベルでのみネットワークに知られている。ＣＳＧセルが周囲のマクロセルのＴＡに属する場合（すなわち、ＣＳＧセルが、マクロセルが属するものとは別個のそれら自身のＴＡを有していない場合）、ＬＴＥ＿ｉｄｌｅモードのＷＴＲＵは、すべてのマクロセルとそのＴＡ内のＣＳＧセルにわたりページングされ、おそらく不必要なページング負荷になることになる。この問題を克服するため、ネットワークは、ＷＴＲＵがごく最近アクセスしたＣＳＧセル内のＷＴＲＵを最初にページングするページング方法を採用することができる。ネットワークは、次いで、そのＷＴＲＵがアクセスを有する近隣のＣＳＧセルをページングすることができる。これは、前回のＴＡ更新（ＴＡＵ）要求が受信されたＴＡで生じることができ、ＴＡに関連してＷＴＲＵがアクセスを有するＣＳＧセルの位置に関して維持されうる地理的知識をネットワークが保有することを前提とする。ページングは、次いで、周辺のマクロセルに、そしてそのＷＴＲＵが割り当てられている可能性のある他のＴＡに拡がることができる。
【００２０】
代替として、ネットワークは、ＷＴＲＵが前回キャンプしたマクロセルで最初にページングし、次いでＣＳＧセルに移動することができよう。アドレスフィールドは、多数のマクロセルＩＤを収容するのに十分に大きい。さらに、ＣＳＧの使用のためのもう１つの別個の大きなＩＤのセットが割り当てられない場合、特定のセルＩＤがＣＳＧセルのためであり、マクロセルのものではないことを示すために別の値タグまたはＩＥがセルブロードキャストに含まれることを条件として、マクロセルＩＤは再使用することもできよう。
【００２１】
代替として、図４に示されるように、２レベルの方法を適用することができる。ＴＡは、周囲のマクロセルのＴＡとは異なっているが、同時にセルレベルのＩＤを使用しているＣＳＧセルに関連付けることができる。これは、特定のユーザまたはＷＴＲＵが、他のセルではなく特定のＣＳＧセルであって、２つ以上のマクロセルＴＡの境界をまたぐこれらのＣＳＧへのアクセスを要求することができるエンタープライズアプリケーションにとって特に有用になりうる。
【００２２】
図５は、たとえば大きなオフィスをカバーするＣＳＧ  ＴＡ５０５を示している。オフィスでは、いくつかのＨｅＮＢ  ５１０Ａ、５１０Ｂ、５１０Ｃ、および５１０Ｄを配備して、オフィス全体にわたり十分なカバレッジを提供する。しかし、特定のＨｅＮＢは、特定の人々（たとえば、管理職）による使用のためにのみとすることもできる。まさにＣＳＧ  ＴＡだけが使用された場合、ＨｅＮＢ  ５１０Ａ、５１０Ｂ、５１０Ｃ、および５１０Ｄの各々によって配備されたすべてのＣＳＧセルに誰もがアクセスを有するであろう。しかし、この問題は、ＣＳＧ  ＴＡ  ５０５およびＣＳＧセルＩＤの両方を使用することによって解決することができる。
【００２３】
ＣＳＧ  ＴＡにおけるＷＴＲＵは、複数マクロレベルのＴＡを割り当てることができるが、ＣＳＧ  ＴＡで最初にページングすることができる。さらに、それらのＵＳＩＭで構成されるパラメータに依存して、一部のＷＴＲＵは特定のＣＳＧセルにのめアクセスを有することができる。この場合も、セルＩＤと同様に、ＴＡＣは、マクロセルＴＡと比較して、ＣＳＧ  ＴＡについて区別できるフォーマットにすることができるか、またはマクロセルＴＡＣと同じフォーマットであるが、値タグまたはＩＥによって区別することができる。
【００２４】
ＣＳＧ  ＩＤの構造は、実際にＣＳＧセルを配備するデバイスのセキュリティおよびモビリティにとって重要なものになりうる。ＣＳＧ  ＩＤのフォーマットにより、ＣＳＧセルを配備するＨｅＮＢが、異なる地域に移動されるようにすることができる。ＣＳＧセルを配備するＨｅＮＢはまた、別のオペレータとともに使用することもできる。ＩＤは、ＨｅＮＢ番号フィールドに加えて国または地域またはオペレータを示すことができるさまざまなフィールドに分割することができる。このように、ＨｅＮＢが新しい場所に移動され、新しいオペレータがサブスクライブされるとき、ＣＳＧ  ＩＤは、関連フィールドを変更することによって変更することができる。例を以下の表１に示す。
【００２５】
【表１】
0005898275.tif 000002
【００２６】
国コードおよびオペレータコードは、好ましくは、グローバルに一意であるが、エリアコードおよびＣＳＧ番号は、特定の国またはオペレータのドメイン内のみで一意にすることができる。加えて、ＨＮＢがパブリックであるかプライベートであるか、またはサービス特性を有するかどうかを示すその他のフィールドを追加することができる。
【００２７】
ＣＳＧセルは、ネットワークごとに変更することができる単一のＩＤによって識別することができる。このＩＤは、ＣＳＧセルによってブロードキャストすることができる。ＣＳＧ  ＩＤが動的である場合、非アクセス階層（ＮＡＳ）レベルにおけるネットワークとＷＴＲＵとの間のシグナリング、および／または無線リソース制御（ＲＲＣ）レベルにおけるＨｅＮＢとＷＴＲＵとの間のシグナリングにより、ＣＳＧセルがパブリックであるか、またはアクセスがサービスベースである場合を除き、ＣＳＧ  ＩＤが、特定のＣＳＧセルにアクセスを有するすべてのＷＴＲＵで変更されるようにすることができる。ネットワークとＨｅＮＢとの間のシグナリングはまた、オペレーションおよびメインテナンス（Ｏ＆Ｍ）手順および／またはＨｅＮＢ上で新しいＩＤを構成する自己構成手順の一部とすることができる。
【００２８】
代替として、各ＣＳＧは、ＷＴＲＵ国際モバイル加入者識別番号（ＩＭＳＩ）と類似した、永久的な一意のＩＤを有することができる。加えて、各ＣＳＧは、ネットワークによって割り振られる一時モバイル加入者識別番号（ＴＭＳＩ）と類似した、一時ＣＳＧ  ＩＤ（ＴＣＳＧＩＤ）を有することができる。ＴＣＳＧＩＤは、ＨｅＮＢで動的に構成することができ、オペレータまたはユーザプリファレンスに基づいて変更することができる。ＴＣＳＧＩＤは、好ましくは、ＣＳＧセルによってそのセルブロードキャストにおいてブロードキャストされる。ＷＴＲＵは、永久的ＣＳＧ  ＩＤと、それがアクセスを有する対応するＴＣＳＧＩＤとの間の関連付けのリストを維持することができる。ネットワークまたはＨｅＮＢとＷＴＲＵとの間のシグナリングは、ＷＴＲＵの動的関連付けを構成することができる。ＴＣＳＧＩＤは、ＷＴＲＵに格納することができ、動的に構成することができる。
【００２９】
ネットワークは、セキュリティなど、さまざまな理由からさまざまなＣＳＧ  ＩＤを動的に構成することができる。一例として、ＣＳＧ  ＩＤは、永久的または一時的のいずれであるかにかかわらず、セキュリティ関連付けまたはキー階層の一部とすることができる。また、ＣＳＧ  ＩＤがマクロセル近隣リスト指示に含まれる場合、これらの動的に構成されたＣＳＧ  ＩＤはまた、周囲のマクロセルに示すこともできる。
【００３０】
アクセス制限は、潜在的な問題である。ＣＳＧセルへのアクセスをユーザの限定されたセットに制限したいかもしれないし、またはＷＬＡＮホットスポットと同様に、すべての近隣ユーザへのオープンアクセスを提供し、通常のセルのように見えるようにしたいかもしれない。通常のマクロセルとパブリックアクセスＣＳＧセルとを区別することによって追加のレベルの細分性が必要とされるかを判定することが必要である。そのような指示が必要と考えられる場合、これは、近隣のＷＴＲＵが、サービスを期待してＣＳＧセルでキャンプしないように、無線レベルで近隣ＷＴＲＵに提供されることが好ましい。この問題は、追加のビットをセルブロードキャストに追加し、それによりこのビットをブロードキャストするＣＳＧセルがパブリックであるか、またはプライベートであるかを示すことによって解決される。このビットはオプションであってもよく、自身をＣＳＧセルとしてアドバタイズするセルによってのみブロードキャストされるように要求することができる。ブロードキャストが「パブリック」であると示した場合、おそらく、ＨｅＮＢが望まれるサービスを許容可能なサービス品質（ＱｏＳ）でサポートすることを条件として、任意の近隣ＷＴＲＵはそのＣＳＧセルでキャンプすることができる。代替として、プライベートＣＳＧセルは、ＣＳＧ  ＩＤおよび上述の１ビット指示を使用して、それ自身をプライベートＣＳＧセルとして識別することができ、パブリックＣＳＧセルは、１ビット指示ではなく通常のセルＩＤをブロードキャストすることができよう。ＷＴＲＵはそれで、セルブロードキャストにおける追加のサービスパラメータを使用して、このパブリックＣＳＧセルでキャンプするかどうかの決定を行うことができる。これは、セル識別に対する黙示のアプローチである。
【００３１】
アクセス制御のさらなるレベルは、ＨｅＮＢに関して許容されたＷＴＲＵのＷＴＲＵアイデンティティ、つまりＩＭＳＩをプログラムすることによって提供することができる。これは、パブリックＣＳＧセルを配備するＨｅＮＢの「すべて」に設定することができる。このように、初期ランダムアクセスチャネル（ＲＡＣＨ）レベルのアクセスがＷＴＲＵによって試みられるとき、ＨｅＮＢは、これにサービスするかどうかの決定を行うことができよう。
【００３２】
アクセス制御を提供する代替の方法は、サービスベースのアクセスを許可することである。これにより、すべてのユーザが、たとえば、音声、テキストメッセージング、および緊急コールなど、特定の基本サービスについてＣＳＧセルにアクセスを有することができるようになるであろうが、加入ユーザだけが、たとえば、高速ダウンロードなど、他のサービスにアクセスを有することができる。そのセルブロードキャストにおけるＣＳＧセルは、特定のサービスがオープンであり、他のサービスが加入ユーザのためだけであることを示すことができる。たとえば、ＣＳＧセルは、すべてのユーザからの緊急コールを許可する（たとえそのセル上で他のサービスについてアクセスを有しないユーザであっても）ことをそのセルブロードキャストにおいて示すことができる。そのような指示は、１ビットのインジケータによって提供することができよう。非加入ユーザの緊急サービスをサポートするＣＳＧセルは、このビットを設定することができる。緊急サービスのためにキャンプする許容可能なセルを探しているＷＴＲＵは、この指示を緊急サービスのサポートの合図として使用し、それに応じて緊急サービスのためにそのようなセルでキャンプするであろう。サービスは、ＷＴＲＵによって理解される特殊なコードによって識別することができる。サブスクリプションの機構は、許可されたＷＴＲＵリストでＨｅＮＢをプログラムすることによってＨｅＮＢレベルにおいて実施することができるか、またはオペレータのネットワークで実施することができよう。
【００３３】
アクセス制御のもう１つのオプションは、２レベルの再選択基準も有することであり、ここで再選択基準は、ＨｅＮＢに加入していないＷＴＲＵに厳しくすることができる。非加入のＷＴＲＵは、好ましくは、圏外にならざるをえない場合、または他の代替の適切なセルがない場合に限り、ＣＳＧセルでキャンプするであろう。これは、ＷＴＲＵが緊急サービスに対するカバレッジにアクセスを有するように行うことができる。非加入ＷＴＲＵは、そのようなＣＳＧセルを緊急サービスについて許容可能なセルであると見なすことができる。
【００３４】
代替として、計画レベルにおいて、ＷＴＲＵは、明示的にＣＳＧセルに加入していない場合であっても、ＣＳＧセルでキャンプするためのアクセスを与えることができる。課金は好ましくは、軽減要因であるので高い。これにより、ＷＴＲＵは、ＵＳＩＭの設定を使用することにより、いかなる制約もなくＣＳＧセルを使用することができる。これは、ネットワークがオープンモバイルアライアンス（ＯＭＡ）機構を使用し、ＵＳＩＭでさまざまな基準を変更することによってリアルタイムで行うことができる。
【００３５】
もう１つの代替は、ＣＳＧセル容量ベースのアクセス制限である。一般に、ＣＳＧセルは、フルサービスのマクロセルよりも小さい容量を有することが見込まれるが、これは、より多くのサービスおよびより多くの加入者を扱うＣＳＧセルの容量を制限するであろう。パブリックであるＣＳＧセルであっても、膨大な数の加入者にサービスすることはできない。それで、ＣＳＧセルが現在フル容量で稼動しており、新しい加入者は許可されないという指示をブロードキャストすることは有用である。そのようにすることで、ＣＳＧセルカバレッジエリア内の加入者が「フルロード」インジケータを受信すると、このＣＳＧセルからのいかなるサービスにもアクセスしようとするのを止めることができ、これは電力、アップリンクリソース、および労力の節約につながる。ＣＳＧセルは、その最大容量に到達すると、「フルロード」メッセージを送ることができる。代替として、ＣＳＧセルは、特別なＷＴＲＵ、または高く払うＷＴＲＵ、または緊急サービスのために特定の容量を予約しておきたいので、たとえば８０％など、特定の割合に到達したときに「フルロード」指示を送ることができる。そのような指示がブロードキャストされない場合、ＷＴＲＵは、ＣＳＧセルに自由にアクセスできると想定することができる。
【００３６】
容量ベースのアクセス制限はまた、サービスベースのアクセスに使用することができる。たとえば、ＣＳＧセルは、音声、ビデオなどのような、異なるサービスには異なる限界を有することがある。任意のサービスの限界に到達すると、ＣＳＧセルは、セルブロードキャスト上でこの指示を送ってそれらのサービスの不要なアクセスを回避することができる。
【００３７】
ＮＡＳシグナリングは、ＩＥの手段により、サブスクリプションを動的に管理し、アタッチされたＷＴＲＵにそれらがアクセスを有するサービスを示すことができる。サブスクリプションを動的に管理するためのシグナリングは、ＷＴＲＵがそのＵＳＩＭ、またはＬＴＥ等価物である新しいＣＳＧ  ＩＤを構成できるようにすることができる。シグナリングはまた、ＷＴＲＵが、既にアクセスを有するＣＳＧセルのＣＳＧ  ＩＤを書き直せるようにすることもできよう。これにより、オペレータは、ＣＳＧセルのＣＳＧ  ＩＤをそのＯ＆Ｍ手順の一部として再構成することができるようになる。
【００３８】
ユーザは、ＣＳＧセルがパブリックであるか、またはプライベートであるかを構成することができる。ユーザはまた、提供されるサービスなど、他のＣＳＧセルパラメータを構成することもできる。これは、たとえばスイッチで、ＩＰレベルのコマンドとして、ＨｅＮＢに手動で行うことができる。たとえば、ＨｅＮＢは、ＮＡＳ／ＲＲＣメッセージを使用して、サブネットワークのルータによってＨｅＮＢに割り当てられているＩＰアドレスを使用することにより、またはオペレータにコンタクトし、オペレータにそのＯ＆Ｍ手順の一部としてＨｅＮＢ上のＣＳＧセルパラメータを構成させることによって、サブネットワーク上でアクセスすることができるユーザインターフェイスを有することができる。ユーザはまた、ＣＳＧセルでのアクセスを許可される特別なＷＴＲＵおよびそれらに認可されるサービスを構成することができる。これは、この場合も、オペレータＯ＆Ｍ手順の一部とするか、または上述のスキームを通じて行うことができる。ＣＳＧ  ＩＤの存在を黙示的に使用してパブリックまたはプライベートアクセスを示すスキームが使用される場合、ＣＳＧセルは好ましくは、パブリックとして構成される。これにはその構成手順の一部として、オペレータから、区別できるＣＳＧ  ＩＤを取得する必要があろう。
【００３９】
ＣＳＧセルへのアクセスに関する決定は、たとえば、サービス、サブスクリプションポリシーなどに基づいて、ネットワークにおいて行うことができる。ＷＴＲＵは好ましくは、どのＣＳＧセルにアクセスを有するかを知っている。ＷＴＲＵは、この情報をネットワークから得ることができる。これらのＣＳＧセルは、サブスクライブされたプライベートＣＳＧセルであってもよし、またはＷＴＲＵは、ＣＳＧセルが特定のサービスについてパブリックアクセスを提供することを要求することができる。ＷＴＲＵは、プル機構の手段によりこの情報を得ることができ、これによりＷＴＲＵは、アクセスすることを許されている近隣エリアにどのＣＳＧセルが存在するかをネットワークにたずねる信号を送る。この信号は、望むサービスを示すことができるアクセスの理由を含むことができる。ネットワークは、好ましくは、適当なＣＳＧ  ＩＤのリストで応答する。ＷＴＲＵは、このリスト内のＣＳＧセルのみに再選択／ハンドオーバすることができる。代替として、ネットワークは、それ自体でそのようなリストをＷＴＲＵに送ることができる。もう１つの代替において、ＷＴＲＵが、ＴＡＵ／セル更新メッセージをネットワークに送ってセルまたはＴＡ間を移動する場合、ネットワークは、ＷＴＲＵがこのＴＡまたはそのようなセル付近でアクセスを許されるＣＳＧセルのリストとともに応答することができる。メッセージのコンテンツは、専用のシグナリングの形態をとることができるか、またはたとえばＴＡＵ要求などの既存の機構の一部として含むこともできる。パブリックＣＳＧセルは、セルブロードキャストにおいてこのエリア内のすべてのＷＴＲＵに示すことができ、または、特にリストが大きい場合、それらのサブセットがＲＲＣまたはＮＡＳシグナリングによって個々のユーザに示されることができる。
【００４０】
もう１つの代替において、オペレータコアネットワーク内の論理エンティティは、アクセス制限の決定を行うことができる。たとえば、機能エンティティは、３ＧＰＰ認証、認可、およびアクセス（ＡＡＡ）サーバまたはホーム加入者サーバ（ＨＳＳ）とすることができ、ＨｅＮＢは、たとえばＷＴＲＵがアクセスを要求するなどの適当なイベントによってトリガされると関連するＷＴＲＵサブスクリプションをダウンロードするクライアントプログラムを実施することができる。ＷＴＲＵは、どのＣＳＧセルが適当であるかの決定を行う必要はない。ＷＴＲＵは、適切なシグナリングによって、ネットワークまたはＣＳＧセルから関連情報をプルするクライアントアプリケーションを実施することができる。
【００４１】
図６は、セルブロードキャストを受信し、ＣＳＧセルを識別するように構成されるＷＴＲＵ６００を示すブロック図の例である。ＷＴＲＵ６００は、アンテナ６０５、送信機６１０、受信機６１５、プロセッサ６２０、およびＵＳＩＭ（またはＬＴＥ等価物）６２５を含む。ＵＳＩＭ（またはＬＴＥ等価物）６２５は、ＵＩＣＣ（図示せず）に常駐することができる。受信機６１５は、セルからアンテナ６０５を介してセルＩＤを含むブロードキャストを受信するように構成される。プロセッサ６２０は、送信機６１０、受信機６１５、およびＵＳＩＭ（またはＬＴＥ等価物）６２５に電気的に結合される。プロセッサ６２０は、セルＩＤがＣＳＧセルに関連付けられているかどうかを判定し、関連付けられている場合、ＣＳＧ  ＩＤがＵＳＩＭにプログラムされているかどうかを判定するように構成される。
【００４２】
実施形態
１．  無線送信／受信ユニット（ＷＴＲＵ）がアクセスを有するクローズドのサブスクライバグループ（ＣＳＧ：ｃｌｏｓｅｄ  ｓｕｂｓｃｒｉｂｅｒ  ｇｒｏｕｐ）を識別する方法であって、
複数のＣＳＧ識別子（ＩＤ）を示すシグナリングを受信することと、
ＣＳＧ  ＩＤを格納することと、
セルからブロードキャストを受信することであって、ブロードキャストはＩＤを含むことと、
ブロードキャストに含まれるＩＤがＣＳＧ  ＩＤである場合、ＣＳＧ  ＩＤが複数のＣＳＧ  ＩＤのうちの１つと一致するかどうかを判定することと
を備えることを特徴とする方法。
２．  受信されたシグナリングは、非アクセス階層（ＮＡＳ）シグナリングであることを特徴とする実施形態１に記載の方法。
３．  セルは、ＣＳＧセルであり、ＣＳＧ  ＩＤは、グローバルに一意であることを特徴とする実施形態１および２のいずれかに記載の方法。
４．  ＣＳＧ  ＩＤは、グローバルに一意のセルＩＤであることを特徴とする実施形態３に記載の方法。
５．  ＣＳＧ  ＩＤは、国、地域、オペレータ、およびｈｏｍｅ  ｅｖｏｌｖｅｄ  Ｎｏｄｅ−Ｂ（ＨｅＮＢ）番号のうちの少なくとも１つを示す複数のフィールドを含むことを特徴とする実施形態３に記載の方法。
６．  ＣＳＧは、ネットワークにより変更することができる単一のＩＤによって識別されることを特徴とする実施形態１から５のいずれかに記載の方法。
７．  ＣＳＧは、永久的な一意のＩＤによって識別されることを特徴とする実施形態１から５のいずれかに記載の方法。
８．  ブロードキャストは、ＣＳＧセルがプライベートＣＳＧセルであるかどうかを示すビットをさらに含むことを特徴とする実施形態１から７のいずれかに記載の方法。
９．  ブロードキャストは、ＣＳＧセルがパブリックＣＳＧセルであるかどうかを示すビットをさらに含むことを特徴とする実施形態１から８のいずれかに記載の方法。
１０．  ブロードキャストは、セルがＣＳＧセルであることを示す情報要素（ＩＥ）を含むことを特徴とする実施形態１から８のいずれかに記載の方法。
１１．  ＩＥは、１ビットのインジケータであることを特徴とする実施形態１０に記載の方法。
１２．  ＷＴＲＵが、永久的ＣＳＧ  ＩＤと、ＷＴＲＵがアクセスを有する対応する一時ＣＳＧ  ＩＤ（ＴＣＳＧＩＤ）との間の関連付けのリストを維持することをさらに備えることを特徴とする実施形態１から１１のいずれかに記載の方法。
１３．  ブロードキャストは、すべてのユーザからの緊急コールが許可されることを示すビットをさらに含むことを特徴とする実施形態１から１２のいずれかに記載の方法。
１４．  ＣＳＧ  ＩＤは、ＣＳＧセルをブロードキャストしているＨｅＮＢ（ｈｏｍｅ  ｅｖｏｌｖｅｄ  Ｎｏｄｅ−Ｂ）のＨｅＮＢ  ＩＤであることを特徴とする実施形態１から１３のいずれか一項に記載の方法。
１５．  ＣＳＧ  ＩＤは、トラッキングエリア（ＴＡ）ＩＤ、セルＩＤ、およびＨｅＮＢ（ｈｏｍｅ  ｅｖｏｌｖｅｄ  Ｎｏｄｅ−Ｂ）ＩＤの組み合わせであることを特徴とする実施形態１から１３のいずれかに記載の方法。
１６．  複数のクローズドのサブスクライバグループ（ＣＳＧ）識別子（ＩＤ）を示すシグナリングを受信するように構成された受信機であって、セルからＩＤを含むブロードキャストを受信するようにさらに構成される受信機と、
ＣＳＧ  ＩＤを格納するように構成されたメモリデバイスと、
受信機およびメモリデバイスに電気的に結合されたプロセッサであって、ブロードキャストに含まれるＩＤがＣＳＧ  ＩＤであるかどうかを判定するように構成され、ＣＳＧ  ＩＤである場合、ＣＳＧ  ＩＤがメモリデバイスに格納された複数のＣＳＧ  ＩＤのうちの１つと一致するかどうかを判定するように構成されたプロセッサと
を備えたことを特徴とする無線送信／受信ユニット（ＷＴＲＵ）。
１７．  受信されたシグナリングは、非アクセス階層（ＮＡＳ）シグナリングであることを特徴とする実施形態１６に記載のＷＴＲＵ。
１８．  メモリデバイスは、ユニバーサル集積回路カード（ＵＩＣＣ；Ｕｎｉｖｅｒｓａｌ  Ｉｎｔｅｇｒａｔｅｄ  Ｃｉｒｃｕｉｔ  Ｃａｒｄ）であることを特徴とする実施形態１６および１７のいずれか一項に記載のＷＴＲＵ。
１９．  ＣＳＧ  ＩＤは、ＵＩＣＣに常駐するユニバーサル加入者識別モジュール（ＵＳＩＭ：Ｕｎｉｖｅｒｓａｌ  Ｓｕｂｓｃｒｉｂｅｒ  Ｉｄｅｎｔｉｔｙ  Ｍｏｄｕｌｅ）アプリケーション上に格納されることを特徴とする実施形態１８に記載のＷＴＲＵ。
２０．  セルは、ＣＳＧセルであり、ＣＳＧ  ＩＤは、グローバルに一意であることを特徴とする実施形態１６から１９のいずれかに記載のＷＴＲＵ。
２１．  ＣＳＧ  ＩＤは、グローバルに一意のセルＩＤであることを特徴とする実施形態２０に記載のＷＴＲＵ。
２２．  ＣＳＧ  ＩＤは、国、地域、オペレータ、およびｈｏｍｅ  ｅｖｏｌｖｅｄ  Ｎｏｄｅ−Ｂ（ＨｅＮＢ）番号のうちの少なくとも１つを示す複数のフィールドを含むことを特徴とする実施形態２０に記載のＷＴＲＵ。
２３．  ＣＳＧは、ネットワークにより変更することができる単一のＩＤによって識別されることを特徴とする実施形態１６から２２のいずれかに記載のＷＴＲＵ。
２４．  ＣＳＧは、永久的な一意のＩＤによって識別されることを特徴とする実施形態１６から２２のいずれか一項に記載のＷＴＲＵ。
２５．  セルからのブロードキャストは、ＣＳＧセルがプライベートＣＳＧセルであるかどうかを示すビットをさらに含むことを特徴とする実施形態１６から２４のいずれかに記載のＷＴＲＵ。
２６．  セルからのブロードキャストは、ＣＳＧセルがパブリックＣＳＧセルであるかどうかを示すビットをさらに含むことを特徴とする実施形態１６から２４のいずれかに記載のＷＴＲＵ。
２７．  ブロードキャストは、セルがＣＳＧセルであることを示す情報要素（ＩＥ）を含むことを特徴とする実施形態１６から２４のいずれかに記載のＷＴＲＵ。
２８．  ＩＥは、１ビットのインジケータであることを特徴とする実施形態２７に記載のＷＴＲＵ。
２９．  ＷＴＲＵは、永久的ＣＳＧ  ＩＤと、ＷＴＲＵがアクセスを有する対応する一時ＣＳＧ  ＩＤ（ＴＣＳＧＩＤ）との間の関連付けのリストを維持することを特徴とする実施形態１６から２８のいずれかに記載のＷＴＲＵ。
３０．  ブロードキャストは、すべてのユーザから緊急コールが許されることを示すビットをさらに含むことを特徴とする実施形態１６から２９のいずれか一項に記載のＷＴＲＵ。
３１．  ＣＳＧ  ＩＤは、ＣＳＧセルをブロードキャストしているＨｅＮＢ（ｈｏｍｅ  ｅｖｏｌｖｅｄ  Ｎｏｄｅ−Ｂ）のＨｅＮＢ  ＩＤであることを特徴とする実施形態１６から２９のいずれかに記載のＷＴＲＵ。
３２．  ＣＳＧ  ＩＤは、トラッキングエリア（ＴＡ）ＩＤ、セルＩＤ、およびＨｅＮＢ（ｈｏｍｅ  ｅｖｏｌｖｅｄ  Ｎｏｄｅ−Ｂ）ＩＤの組み合わせであることを特徴とする実施形態１６から２９のいずれかに記載のＷＴＲＵ。
３３．  無線送信／受信ユニット（ＷＴＲＵ）をクローズドのサブスクライバグループ（ＣＳＧ）セルにアクセスすることから選択的に制限する方法であって、
ＣＳＧセルが、セルがパブリックセルまたはプライベートセルのいずれであるかを示す１ビットのインジケータを含むブロードキャストを伝送することと、
１ビットのインジケータが、ＣＳＧセルがパブリックであることを示す場合、ＣＳＧに属していないＷＴＲＵもＣＳＧセルにアクセスすることを許されることができることと、
１ビットのインジケータが、ＣＳＧセルがプライベートであることを示す場合、ＣＳＧセルに関連付けられているＣＳＧに属しているＷＴＲＵのみがＣＳＧセルにアクセスすることができることと
を備えることを特徴とする方法。
３４．  ＨｅＮＢ（ｈｏｍｅ  ｅｖｏｌｖｅｄ  Ｎｏｄｅ−Ｂ）は、ＣＳＧセルにアクセスすることを許される各ＷＴＲＵに関連付けられた国際モバイル加入者ＩＤでプログラムされ、ＨｅＮＢは、ＷＴＲＵが初期ランダムアクセスチャネル（ＲＡＣＨ）レベルにアクセスを試みるときにＷＴＲＵにサービスするかどうかを判定することを特徴とする実施形態３３に記載の方法。
３５．  無線送信／受信ユニット（ＷＴＲＵ）が、クローズドのサブスクライバグループ（ＣＳＧ）セルへのアクセスが許可されるかどうかを判定する方法であって、
ＣＳＧセルからブロードキャストを受信することであって、ブロードキャストが、セルがパブリックセルまたはプライベートセルのいずれであるかを示す１ビットのインジケータを含むことと、
１ビットのインジケータが、ＣＳＧセルはパブリックであることを示す場合、ＣＳＧセルにアクセスすることが許容されると判定することと、
１ビットのインジケータが、ＣＳＧセルはプライベートであり、ＷＴＲＵがＣＳＧセルに関連付けられたＣＳＧに属していることを示す場合、ＣＳＧセルにアクセスすることが許容されると判定することと
を備えることを特徴とする方法。
３６．  無線送信／受信ユニット（ＷＴＲＵ）をクローズドのサブスクライバグループ（ＣＳＧ）セルにアクセスすることから選択的に制限する方法であって、
ＣＳＧセルが、すべてのＷＴＲＵにオープンである基本サービスと、加入ユーザに関連付けられたＷＴＲＵによってのみアクセス可能な加入者サービスを示すブロードキャストを伝送することを備えることを特徴とする方法。
３７．  基本サービスは、音声、テキストメッセージング、および緊急コールのうちの少なくとも１つを含むことを特徴とする実施形態３６に記載の方法。
３８．  ブロードキャストは、緊急サービスにアクセスするためにいかなるＷＴＲＵもＣＳＧセルでキャンプすることができることを示す１ビットのインジケータを含むことを特徴とする実施形態３６および３７のいずれか一項に記載の方法。
３９．  ＨｅＮＢ（ｈｏｍｅ  ｅｖｏｌｖｅｄ  Ｎｏｄｅ−Ｂ）は、加入者サービスにアクセスすることを許される各ＷＴＲＵに関連付けられた国際モバイル加入者ＩＤをプログラムするために使用され、ＨｅＮＢは、ＷＴＲＵが初期ランダムアクセスチャネル（ＲＡＣＨ）レベルにアクセスを試みるときにＷＴＲＵをサービスするかどうかを判定することを特徴とする実施形態３６および３７のいずれかに記載の方法。
４０．  無線送信／受信ユニット（ＷＴＲＵ）をクローズドのサブスクライバグループ（ＣＳＧ）セルにアクセスすることから選択的に制限する方法であって、
ＣＳＧセルが、加入ユーザに関連付けられていないＷＴＲＵの再選択基準の第１のレベルを提供することと、
ＣＳＧセルが、加入ユーザに関連付けられているＷＴＲＵの再選択基準の第２のレベルを提供することと
を備えることを特徴とする方法。
４１．  無線送信／受信ユニット（ＷＴＲＵ）をクローズドのサブスクライバグループ（ＣＳＧ）セルにアクセスすることから選択的に制限する方法であって、
ＣＳＧセルが、ＣＳＧセルの現在の容量を示すブロードキャストを伝送することと、
ブロードキャストが、ＣＳＧセルが現在フル容量で稼動していることを示す場合、ＣＳＧセルによって提供されるサービスを加入ユーザに関連付けられていないＷＴＲＵのみに制限することと
を備えることを特徴とする方法。
４２．  クローズドのサブスクライバグループ（ＣＳＧ）セルによって提供される緊急サービスにアクセスするために無線送信／受信ユニット（ＷＴＲＵ）によって使用される方法であって、
ＷＴＲＵに緊急サービスへのアクセスを提供することができる許容可能なセルのリストを維持することと、
セルを検出することと、
検出されたセルが、ＷＴＲＵがメンバーでないＣＳＧにサービスを提供するＣＳＧセルであることを判定することと、
検出されたＣＳＧセルをリストに追加することと、
緊急サービスにアクセスするためにＣＳＧセルでキャンプすることを進めることと
を備えることを特徴とする方法。
【００４３】
特徴および要素は特定の組み合わせで上述されているが、各特徴または各要素は、他の特徴および要素なしで単独で使用するか、または他の特徴および要素の有無にかかわらずさまざまな組み合わせで使用することができる。本明細書において提供される方法または流れ図は、汎用コンピュータまたはプロセッサによる実行のためにコンピュータ可読記憶媒体に組み込まれたコンピュータプログラム、ソフトウェア、またはファームウェアにおいて実施することができる。コンピュータ可読記憶媒体の例は、読み取り専用メモリ（ＲＯＭ）、ランダムアクセスメモリ（ＲＡＭ）、レジスタ、キャッシュメモリ、半導体メモリデバイス、内蔵ハードディスクおよびリムーバブルディスクなどの磁気媒体、磁気光学媒体、ＣＤ−ＲＯＭディスクおよびデジタル多用途ディスク（ＤＶＤ）などの光媒体を含む。
【００４４】
適したプロセッサは、例として、汎用プロセッサおよび特殊目的のプロセッサ、標準的なプロセッサ、デジタルシグナルプロセッサ（ＤＳＰ）、複数のマイクロプロセッサ、ＤＳＰコアと関連する１つまたは複数のマイクロプロセッサ、コントローラ、マイクロコントローラ、特定用途向け集積回路（ＡＳＩＣ）、フィールドプログラマブルゲートアレイ（ＦＰＧＡ；Ｆｉｅｌｄ  Ｐｒｏｇｒａｍｍａｂｌｅ  Ｇａｔｅ  Ａｒｒａｙ）回路、任意の他のタイプの集積回路（ＩＣ）、および／またはステートマシンを含む。
【００４５】
ソフトウェアと関連するプロセッサは、無線送信受信ユニット（ＷＴＲＵ）、ユーザ機器（ＩＥ）、端末、基地局、無線ネットワークコントローラ（ＲＮＣ）、または任意のホストコンピュータにおける使用のために無線周波数送受信機を実施するために使用することができる。ＷＴＲＵは、カメラ、ビデオカメラモジュール、テレビ電話、スピーカーフォン、振動デバイス、スピーカー、マイクロフォン、テレビ送受信機、ハンドフリーヘッドセット、キーボード、ブルートゥース（登録商標）モジュール、周波数変調（ＦＭ）ラジオユニット、液晶ディスプレイ（ＬＣＤ）表示ユニット、有機発光ダイオード（ＯＬＥＤ；ｏｒｇａｎｉｃ  ｌｉｇｈｔ−ｅｍｉｔｔｉｎｇ  ｄｉｏｄｅ）表示ユニット、デジタル音楽プレイヤー、メディアプレイヤー、テレビゲームプレイヤーモジュール、インターネットブラウザ、および／または任意の無線ローカルエリアネットワーク（ＷＬＡＮ）もしくは超広帯域（ＵＷＢ）モジュールなどのハードウェアおよび／またはソフトウェアに実装されるモジュールと共に使用することができる。
【図１】
0005898275.tif 000003
【図２】
0005898275.tif 000004
【図３】
0005898275.tif 000005
【図４】
0005898275.tif 000006
【図５】
0005898275.tif 000007
【図６】
0005898275.tif 000008